(57)【要約】      （修正有）【課題】良好な外観を保持するとともに確実な防水性を確保することができる照明器具を提供する。【解決手段】造営材Ｗに板状の弾性部材２１を取付け、弾性部材２１を介して、電源部を収容するとともに灯体を支持するフランジ部を取り付ける。フランジ部は、弾性部材２１に当接する側壁部３１および側壁部３１に支持される蓋部を有する。側壁部３１は、弾性部材２１に端面３１２Ａが当接する第１壁部３１２と、第１壁部３１２の外面３１２Ｂに対して内面３１３Ａが離間して配置された第２壁部３１３と、を有し、弾性部材２１の端面２１４が第２壁部３１３の内面３１３Ａよりも内側に配置されている。弾性部材２１と壁面Ｗとの間にコーキング材３５が施される。【選択図】図７
2015069900.tif 000002
【特許請求の範囲】
【請求項１】
造営材に当接可能な板状の弾性部材と、
前記弾性部材に当接する側壁部と、前記側壁部に支持される蓋部とを有するフランジ部と、
前記フランジ部に収容される電源部と、
前記フランジ部に支持される灯体とを備え、
前記側壁部は、
前記弾性部材に端面が当接する第１壁部と、
前記第１壁部の外面に対して内面が離間して配置された第２壁部と、を有し、
弾性部材の端面が第２壁部の内面よりも内側に配置されている照明器具。
【請求項２】
請求項１に記載の照明器具において、
前記弾性部材における前記フランジ部側の表面に対して、
前記第１壁部の端面が前記弾性部材に当接しているとともに、
前記第２壁部の端面が前記弾性部材から離間している照明器具。
【請求項３】
請求項１または請求項２に記載の照明器具において、
前記第１壁部および前記第２壁部が枠状である照明器具。
【発明の詳細な説明】
【技術分野】
【０００１】
本発明は、主に屋外の壁面や床面等に設置される照明器具に関するものである。
【背景技術】
【０００２】
従来、屋外の壁面等に設置され、防水機能を有する照明器具が知られている（例えば、特許文献１参照）。
図１７に示すように、特許文献１に記載の照明器具１００は、灯体（図示省略）を支持する器具本体１０１を壁面Ｗに取り付けて使用する。
器具本体１０１は、壁面Ｗに防水パッキン１０２を介して取り付けられる略皿状の取付金具１０３に、前方から取り付けられる。
取付金具１０３は、略円形の下部が弓形に切欠かれた正面形状をなす基板部１０４と、切欠部分を除いて基板部１０４の周囲から前方に立ち上げられた周壁部１０５と、周壁部１０５の先端から外方に張り出した鍔部１０６とを有する。基板部１０４の中央には、外側に延びる本体連結用ボルト１１３が設けられている。
取付金具１０３は、壁面Ｗとの間に防水パッキン１０２を挟み込んだ状態で、壁面取付用ビス１０７によって壁面Ｗに固定される。
【０００３】
器具本体１０１は、背面側が開口し、下部には、背面側及び下方に開放された略箱状のセンサ収容部１０８が設けられている。センサ収容部１０８には、人感センサ１０９が取り付けられている。
器具本体１０１の背面側開口の周縁部１１１の内径は、取付金具１０３の鍔部１０６の外形よりも大きい。また、背面側開口の内周面には、鍔部１０６の前面に当接する段部１１２が設けられている。
器具本体１０１は、器具本体１０１に設けられているボルト挿通孔に、取付金具１０３に取り付けられている本体連結用ボルト１１３を挿通し、外側に出ている本体連結用ボルト１１３にナット部材１１４を締付けて取り付けられる。
【先行技術文献】
【特許文献】
【０００４】
【特許文献１】特開２００５−２５１５２４号公報（第６図）
【発明の概要】
【発明が解決しようとする課題】
【０００５】
しかしながら、前述した特許文献１に記載の照明器具１００においては、防水パッキン１０２に取り付けられた取付金具１０３の周壁部１０５に器具本体１０１を外側から被せる。そして、周壁部１０５の先端の鍔部１０６を器具本体１０１の段部１１２に押し付けることにより防水性を得ようとするものである。しかしながら、このような構成においては、密着性を高めるために、鍔部１０６の端面に極めて正確な平坦性が求められるので、その製造性が悪く、しかも壁面取付用ビス１０７やナット部材１１４等の応力によって、取付金具１０３自体が歪んだりして鍔部１０６と段部１１２との間に隙間が生じ易く、十分な防水性が得られないおそれがある。
また、このような屋外の壁面に取り付ける照明器具においては、壁面を伝って流れる雨水等が照明器具と壁面との間に入り込み、電源線を伝って照明器具内に入り込むことを防止するために、照明器具と壁面との間、具体的には防水パッキンと壁面との隙間を塞ぐように、防水パッキンの外周縁にコーキングを施すことがある。このような場合に、このコーキング材が照明器具よりも外部にはみ出しているので、外観上好ましくないという問題があった。
【０００６】
本発明は、従来の問題を解決するためになされたもので、製造性を複雑にすることなく、コーキング材を外観上見えにくくできて、商品の外観品質を向上できるとともに、防水性を向上することができる照明器具を提供することを目的とする。
【課題を解決するための手段】
【０００７】
本発明の照明器具は、造営材に当接可能な板状の弾性部材と、前記弾性部材に当接する側壁部と、前記側壁部に支持される蓋部とを有するフランジ部と、前記フランジ部に収容される電源部と、前記フランジ部に支持される灯体とを備え、前記側壁部は、前記弾性部材に端面が当接する第１壁部と、前記第１壁部の外面に対して内面が離間して配置された第２壁部と、を有し、弾性部材の端面が第２壁部の内面よりも内側に配置されているものである。
【０００８】
また、本発明の照明器具は、前記弾性部材における前記フランジ部側の表面に対して、前記第１壁部の端面が前記弾性部材に当接しているとともに、前記第２壁部の端面が前記弾性部材から離間しているものである。
【０００９】
さらに、本発明の照明器具は、前記第１壁部および前記第２壁部が枠状であるものである。
【発明の効果】
【００１０】
本発明は、電源部等を収容するフランジ部の側壁部は、弾性部材に端面が当接する第１壁部と、第１壁部の外面に対して内面が離間して配置された第２壁部と、を有し、弾性部材の端面が第２壁部の内面よりも内側に配置されている。このため、弾性部材と壁面との間にコーキング材を施したときに、コーキング材が弾性部材の外周から第１壁部と第２壁部との間に収容されるので、防水性を確保することができる。また、このとき、第２壁部が弾性部材の端面よりも外側に配置されているので、コーキング材を第２壁部の外面よりも内側に施すことができ、良好な外観を得ることができるという効果を有する照明器具を提供できる。
【図面の簡単な説明】
【００１１】
【図１】本発明に係る第１実施形態の照明器具を上方から見た斜視図
【図２】本発明に係る第１実施形態の照明器具の縦断面図
【図３】本発明に係る第１実施形態の照明器具の器具本体の分解斜視図
【図４】（Ａ）は本発明に係る第１実施形態の照明器具の器具本体の正面図であり、（Ｂ）は（Ａ）中Ｂ−Ｂ位置の断面図
【図５】（Ａ）は図４（Ｂ）中ＶＡ−ＶＡ位置から見た背面図であり、（Ｂ）は図４（Ｂ）中ＶＢ−ＶＢ位置から見た背面図
【図６】本体パッキンを取り除いた器具本体を後方から見た斜視図
【図７】図４（Ｂ）中ＶＩＩ部分の拡大図
【図８】フランジ部の底面図
【図９】本発明に係る第１実施形態の照明器具の器具本体の変形例を示す図７相当の断面図
【図１０】本発明に係る第２実施形態の照明器具を上方から見た斜視図
【図１１】本発明に係る第２実施形態の照明器具の器具本体の分解斜視図
【図１２】（Ａ）は本発明に係る第２実施形態の照明器具の器具本体の正面図であり、（Ｂ）は（Ａ）中Ｂ−Ｂ位置の断面図
【図１３】（Ａ）は図１２（Ｂ）中ＸＩＩＩＡ−ＸＩＩＩＡ位置から見た背面図であり、（Ｂ）は図１２（Ｂ）中ＸＩＩＩＢ−ＸＩＩＩＢ位置から見た背面図
【図１４】本発明に係る第３実施形態の照明器具の正面図
【図１５】本発明に係る第３実施形態の照明器具の分解斜視図
【図１６】本発明に係る第３実施形態の照明器具の底面図
【図１７】従来の照明器具における取付部の断面図
【発明を実施するための形態】
【００１２】
（第１実施形態）
以下、本発明に係る第１実施形態の照明器具について、図面を用いて説明する。
図１および図２に示すように、本発明に係る第１実施形態の照明器具１０Ａは、造営材としての玄関等の屋外の鉛直な壁面Ｗに取り付けて使用することができる。
照明器具１０Ａは、壁面Ｗに取り付けられる器具本体２０Ａと、器具本体２０Ａから外側に張り出す支持アーム５１と、支持アーム５１の先端に取り付けられる灯体５０を有する。
なお、以下の説明においては、鉛直上方を「上」、鉛直下方を「下」と表示する。また、壁面Ｗから遠ざかる方向を「前」、壁面Ｗに近づく方向を「後」と表示する。
【００１３】
支持アーム５１は全体Ｔ字形状をしており、器具本体２０Ａから水平に延びる水平部５１１と、水平部５１１の先端から鉛直方向に延びる鉛直部５１２を有する。鉛直部５１２の上端には、円筒形状の灯体本体５２が一体的に設けられている。
灯体本体５２の中央部にはソケット５３が取り付けられており、ソケット５３には、光源であるＬＥＤ電球５４が交換可能に取り付けられる。灯体本体５２の上端部内面には、ネジ部５２１が設けられている。
【００１４】
灯体本体５２には、上端が塞がれた円筒形状に形成された透光性部材からなるグローブ５５が取り付けられる。グローブ５５の下端部には、ネジ部５５１が設けられており、グローブ５５は、ネジ部５５１を灯体本体５２のネジ部５２１にねじ込んで取り付けられる。
なお、灯体本体５２とグローブ５５との境界には、グローブパッキン５６が取り付けられており、防水を図っている。
支持アーム５１の中心部には、配線用の通路管５７が設けられており、ソケット５３と後述する制御ユニット（電源部）２６（図３参照）とを電気的に接続する電線（図示省略）を配線する。
【００１５】
図３に示すように、器具本体２０Ａは、壁面Ｗに取り付けられる本体パッキン（弾性部材）２１と、本体パッキン２１の前面（表面）２１５に取り付けられる取付板２２と、取付板２２に取り付けられるフランジ部２３Ａを有する。
【００１６】
図３および図５（Ｂ）に示すように、本体パッキン２１は、例えば略矩形状の硬質ゴム製の板状部材である。本体パッキン２１の幅方向中央部には、上部および下部にアンカーボルト用貫通孔２１１，２１２が設けられている。上部のアンカーボルト用貫通孔２１１は縦長の長円形状をしており、下部のアンカーボルト用貫通孔２１２は横長の長円形状をしている。
これにより、本体パッキン２１をアンカーボルト２７（図６参照）で壁面Ｗに取り付けた際に、若干の方向性を修正できる。
また、本体パッキン２１の中央には、壁面Ｗ内部に配線されている電源線を引き込むための電源孔２１３が設けられている。
【００１７】
図３に示すように、取付板２２は、金属製の円形の板部材であり、中央に本体パッキン２１の電源孔２１３に対応する貫通孔２２１を有する。
取付板２２は、貫通孔２２１の上側には、本体パッキン２１のアンカーボルト用貫通孔２１１に対応するアンカーボルト用貫通孔２２２が設けられている。また、貫通孔２２１の下側には、本体パッキン２１のアンカーボルト用貫通孔２１２に対応するアンカーボルト用貫通孔２２３が設けられている。上側のアンカーボルト用貫通孔２２２は縦長の長円形状をしており、下側のアンカーボルト用貫通孔２２３は横長の長円形状をしている。
これにより、本体パッキン２１をアンカーボルト２７（図６参照）で壁面Ｗに取り付けた際に、若干の方向性を修正できる。
【００１８】
取付板２２の中央部の左右両端部には、一対のスタッドボルト２８が、前方に向かって設けられている。
図３および図５（Ａ）に示すように、取付板２２にはシャーシ２４が取り付けられている。シャーシ２４はクランク状に折曲げられており、上部２４１の後面には、端子台２９が取り付けられている。
また、シャーシ２４の上部２４１の下辺には、一対のスタッドボルト２８用の切欠２４３が設けられている。
【００１９】
シャーシ２４の下部２４２の前面には、制御ユニット２６が取り付けられる。制御ユニット２６には、電源部や制御部等が収容されており、灯体５０のＬＥＤ電球５４の点灯を制御する。
また、シャーシ２４の下端部には、下側に人感センサ２５が取り付けられており、制御ユニット２６に電気的に接続されている。
従って、制御ユニット２６は、人感センサ２５からの検知信号を受けた場合にも、ＬＥＤ電球５４の点灯を制御する。
【００２０】
図３および図４に示すように、フランジ部２３Ａは、樹脂により略矩形箱状に形成されている。
フランジ部２３Ａは、本体パッキン２１に当接する側壁部３１と、側壁部３１の前端に支持される蓋部３２とを有し、後面が開口している。
蓋部３２には、中央に支持アーム５１の通路管５７が貫通する通路用貫通孔３２１を有する。蓋部３２の内面における通路用貫通孔３２１の左右両側には、スタッドボルト２８が貫通する円筒形状のスタッドボルト用貫通部３２２（図４（Ｂ）参照）が、取付板２２に向かって突出して設けられている。スタッドボルト用貫通部３２２の中心には、スタッドボルト２８が挿通される挿通孔３２３が設けられている（図６参照）。
蓋部３２の下端部には、人感センサ２５の前方に対応して、人感センサ用切欠３２４が設けられており、人感センサ用切欠３２４を塞ぐセンサ部蓋３２５が着脱可能に取り付けられている。
【００２１】
図４および図６に示すように、側壁部３１は、蓋部３２の外周に沿って前後方向に設けられている側壁部本体３１１を有し、側壁部本体３１１の後端に、第１壁部３１２と第２壁部３１３とが間隔をあけて平行に設けられている。このため、第１壁部３１２と第２壁部３１３との間には空間Ａを有する。
図７に示すように、第１壁部３１２は、その端面３１２Ａが本体パッキン２１に当接する。すなわち、第1壁部３１２の端面３１２Ａが本体パッキン２１に接触して設けられる。この際、本体パッキン２１の弾力性を利用し、端面３１２Ａを本体パッキン２１に対して、少しでも沈み込むように押し付けて密着すれば、防水性が一層向上する。第２壁部３１３は、第１壁部３１２の外面３１２Ｂに対して内面３１３Ａが離間して配置されており、第２壁部３１３の端面３１３Ｂは、第１壁部３１２の端面３１２Ａよりも前方に位置する。また、第２壁部３１３の内面３１３Ａは、本体パッキン２１の端面２１４よりも内側（図７中Ｄ参照）に配置されている。
従って、第２壁部３１３の端面３１３Ｂと、本体パッキン２１および壁面Ｗとの間には、隙間Ｓが設けられる。なお、隙間Ｓを設けるとともに、第２壁部３１３の端面３１３Ｂを、第１壁部３１２の端面３１２Ａの位置よりも壁面Ｗ側に位置させ、コーキング材３５を覆う長さにしてもよい。また、第１壁部３１２と第２壁部３１３とを、間隔をあけて平行に設けたが、平行に限らず、コーキング材３５が少なくとも照明器具正面から見た際に見えないよう設けられていればよく。例えば第２壁部３１３を壁面Ｗに向かって外側に傾斜して設けても良い。
【００２２】
図６に示すように、第１壁部３１２および第２壁部３１３は、一定の間隔を保持して、側壁部３１の後端に設けられているが、蓋部３２の下辺に設けられている側壁部３１には、第１壁部３１２および第２壁部３１３が設けられていない。
すなわち、図８に示すように、蓋部３２の下辺に連続する側壁部３１には、側壁部本体３１１を後方に延長した本体延長部３１４が設けられており、本体延長部３１４の後端面が本体パッキン２１に当接する。
【００２３】
側壁部３１の下面の本体延長部３１４には、第２壁部３１３に対応する部分に、水抜孔３３が設けられている。水抜孔３３は、第１壁部３１２と第２壁部３１３により形成されるポケット部３１５の下端に位置する（図６参照）。
また、蓋部３２の下辺に連続する側壁部３１には、人感センサ２５用の円形のセンサ用開口３４が設けられている（図８参照）。人感センサ２５は、センサ用開口３４を通して、下方に露出する。
【００２４】
次に、照明器具１０Ａの取付施工手順について説明する。
１：まず、壁面Ｗにコーキング材３５（図７参照）を枠状に塗布する。このとき、コーキング材３５は、本体パッキン２１の大きさと同じくらいの面積に塗布し、本体パッキン２１を押し付けたときに本体パッキン２１の外側にある程度コーキング材３５がはみ出すようにする。また、壁面Ｗの内部から引き出されている電源線をコーキング材３５から出しておく。
２：電源線を本体パッキン２１の電源孔２１３に通し、本体パッキン２１を塗布されたコーキング材３５に押し付ける。これにより、コーキング材３５が本体パッキン２１の周部からはみ出すようにして、本体パッキン２１を壁面Ｗに貼付ける。
３：電源線を取付板２２の貫通孔２２１に通し、本体パッキン２１の表面（前面）に取付板２２を当接させて、アンカーボルト２７により取付板２２および本体パッキン２１を壁面Ｗに固定する。その後、電源線を制御ユニット２６に接続する。
４：取付板２２のスタッドボルト２８をフランジ部２３Ａの蓋部３２に設けられているスタッドボルト用貫通部３２２に挿通し、フランジ部２３Ａの第１壁部３１２を本体パッキン２１に押し当てる。蓋部３２を貫通して突出するスタッドボルト２８に袋ナット３６（図３参照）を締付けて、フランジ部２３Ａを固定する。
５：本体パッキン２１の周囲にはみ出したコーキング材３５を、第１壁部３１２および第２壁部３１３のポケット部３１５に収容する（図７参照）。
６：壁面Ｗに付着し、第２壁部３１３の外側にはみ出しているコーキング材３５を均す。
なお、上記の例では先にコーキング材３５を壁面Ｗに塗布したが、上記４において取付板２２とフランジ部２３Ａとを固定する際に、壁面Ｗと本体パッキン２１の周囲との隙間を塞ぐようコーキング材３５を設けてもよい。
【００２５】
次に、本発明の照明器具１０Ａの作用効果について説明する。
本発明の照明器具１０Ａでは、壁面Ｗに板状の本体パッキン２１を取付け、本体パッキン２１を介して、制御ユニット２６を収容するとともに灯体５０を支持するフランジ部２３Ａを取り付ける。フランジ部２３Ａは、本体パッキン２１に当接する側壁部３１および側壁部３１に支持される蓋部３２を有する。
側壁部３１は、本体パッキン２１に端面３１２Ａが当接する第１壁部３１２と、第１壁部３１２の外面３１２Ｂに対して内面３１３Ａが離間して配置された第２壁部３１３とを有する。本体パッキン２１の端面２１４は、第２壁部３１３の内面３１３Ａよりも内側に配置されている。
【００２６】
このため、本体パッキン２１と壁面Ｗとの間にコーキング材３５を施したときに、コーキング材３５が本体パッキン２１の外周から第１壁部３１２と第２壁部３１３との間の空間Ａに収容されるので（図７参照）、壁面Ｗと本体パッキン２１との防水性および、フランジ部２３Ａと本体パッキン２１との防水性を確保することができる。
また、このとき、第２壁部３１３が本体パッキン２１の端面２１４よりも外側に配置されているので、コーキング材３５を第２壁部３１３の外面よりも内側に施すことができ、良好な外観を得ることができる。
【００２７】
また、本発明の照明器具１０Ａは、第１壁部３１２の端面３１２Ａが本体パッキン２１に当接するので、防水性を確保できる。
また、第１壁部３１２の外側にある第２壁部３１３の端面３１３Ｂが、本体パッキン２１から離間しているので、第２壁部３１３の端面３１３Ｂと本体パッキン２１との間から、コーキング材３５が第１壁部３１２と第２壁部３１３との間の空間Ａ内に収容される（図７参照）。
これにより、外部にはみ出すコーキング材３５を空間Ａ内に流れ込ませて収容できるので、外部にはみ出さないようにすることができ、しかも第２壁部３１３によって、壁面Ｗと本体パッキン２１との隙間を塞ぐコーキング材３５を、器具正面からは見えにくいよう覆って隠せるため、良好な外観を得ることができる。また、空間Ａ内に収容したコーキング材３５で第１壁部３１２と本体パッキン２１との接触箇所の少なくとも境界部分の隙間を塞ぐことができ、防水性を一層向上させることができる。
【００２８】
なお、前述した照明器具１０Ａでは、図７に示すように、第２壁部３１３が側壁部本体３１１よりも外側に突出している場合について説明したが、図９に示すように、第２壁部３１３の外面と側壁部本体３１１の外面とが同一面となるようにすることも可能である。
この場合には、製作が容易になると云う利点があるが、材料が多く必要になる。
【００２９】
（第２実施形態）
次に、本発明に係る第２実施形態の照明器具について説明する。
なお、前述した第１実施形態に係る照明器具１０Ａと共通する部位には同じ符号を付して、重複する説明を省略することとする。
図１０および図１１に示すように、第２実施形態の照明器具１０Ｂでは、器具本体２０Ｂが円形である。なお、灯体５０および支持アーム５１の形状は第１実施形態の照明器具１０Ａと異なるが、灯体５０および支持アーム５１の形状は特に限定されないので、説明は省略することとする。
【００３０】
図１２、図１３（Ａ）、図１３（Ｂ）に示すように、器具本体２０Ｂが円形であるため、本体パッキン２１およびフランジ部２３Ｂも円形となる。フランジ部２３Ｂは、側壁部３１および蓋部３２を有する。側壁部３１および蓋部３２は、全体として椀状となっている。側壁部３１の後端部には、第１壁部３１２および第２壁部３１３が設けられている。第１壁部３１２と第２壁部３１３との関係は、第１実施形態の照明器具１０Ａと同様の構造である（図７参照）。
【００３１】
第１壁部３１２および第２壁部３１３は、全周にわたって設けられており、第２壁部３１３における最下端位置には、水抜孔３３が設けられている。
なお、フランジ部２３Ｂは、壁面Ｗに埋め込まれているボックスカバー３７を介して壁面Ｗに取り付けられる。
また、第２実施形態の照明器具１０Ｂでは、人感センサ２５が設けられていないが、設けることも可能である。
【００３２】
このように構成することにより、第１実施形態の照明器具１０Ａと同様に、良好な外観を保持するとともに確実な防水性を確保することができる。
【００３３】
（第３実施形態）
次に、本発明に係る第３実施形態の照明器具について説明する。
なお、前述した第１実施形態の照明器具１０Ａおよび第２実施形態の照明器具１０Ｂと共通する部位には同じ符号を付して、重複する説明を省略することとする。
図１４に示すように、第３実施形態の照明器具１０Ｃは、造営材である床面Ｆに取り付ける据置型のものである。
図１４および図１５に示すように、器具本体２０Ｃは、平面視で六角形をしている。従って、本体パッキン２１およびフランジ部２３Ｃも六角形をしている。
フランジ部２３Ｃは、蓋部３２および側壁部３１により、中央が高くなった山型形状を呈している。
【００３４】
図１６に示すように、側壁部３１の下端には、第１壁部３１２および第２壁部３１３が、全周にわたって枠状に設けられている。従って、ポケット部３１５も全周にわたって設けられている。
なお、第１壁部３１２と第２壁部３１３との関係は、第１実施形態の照明器具１０Ａと同様の構造である（図７参照）。
また、第２壁部３１３には、水抜孔３３が少なくとも１カ所設けられている（図１４参照）。
【００３５】
灯体５０の型式は特に限定するものではないが、図１５に示すように、グローブ５５では透光性カバー５５２の外側に枠体５５３が設けられている。枠体５５３の上側には上蓋体５８が設けられ、枠体５５３の下側には下蓋体５９が設けられている。
上蓋体５８および下蓋体５９と透光性カバー５５２との間には、グローブパッキン５６が設けられている。
下蓋体５９にはソケット５３が取り付けられており、ＬＥＤ電球５４が交換可能に取り付けられる。
【００３６】
次に、本発明の照明器具１０Ｃの作用効果について説明する。
照明器具１０Ｃでは、第１壁部３１２および第２壁部３１３が枠状に設けられている。
このため、床面Ｆ等の水平な面に取り付ける際にも、防水性を確保して、良好な外観を得ることができる。
【００３７】
本発明の照明器具は、前述した実施形態に限定されるものでなく、適宜な変形、改良等が可能である。
【符号の説明】
【００３８】
１０Ａ、１０Ｂ、１０Ｃ  照明器具
２１  本体パッキン（弾性部材）
２１４  端面
２１５  前面（表面）
２３Ａ、２３Ｂ、２３Ｃ  フランジ部
２６  制御ユニット（電源部）
３１  側壁部
３１２  第１壁部
３１２Ａ  端面
３１２Ｂ  外面
３１３  第２壁部
３１３Ａ  内面
３１３Ｂ  端面
３２  蓋部
５０  灯体
Ｆ  床面（造営材）
Ｗ  壁面（造営材）
【図１】
2015069900.tif 000003
【図２】
2015069900.tif 000004
【図３】
2015069900.tif 000005
【図４】
2015069900.tif 000006
【図５】
2015069900.tif 000007
【図６】
2015069900.tif 000008
【図７】
2015069900.tif 000009
【図８】
2015069900.tif 000010
【図９】
2015069900.tif 000011
【図１０】
2015069900.tif 000012
【図１１】
2015069900.tif 000013
【図１２】
2015069900.tif 000014
【図１３】
2015069900.tif 000015
【図１４】
2015069900.tif 000016
【図１５】
2015069900.tif 000017
【図１６】
2015069900.tif 000018
【図１７】
2015069900.tif 000019